【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  比色法による粒子捕集平均効率が２０〜９９％であるエアフィルタ用濾材であって、該エアフィルタ用濾材はメルトブロー法による繊維を少なくとも５重量％以上含み、且つ該エアフィルタ用濾材に含まれる繊維が熱接着性繊維によって結合しており、該エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下であることを特徴とする中性能フィルタ用のエアフィルタ用濾材。
【請求項２】  請求項１に記載のエアフィルタ用濾材がフィルタ枠に装着されていることを特徴とするエアフィルタユニット。
【請求項３】  エアフィルタ用濾材から発生する総有機物質の量（トルエン換算重量）を発生ガス推測法により２３℃において算出すると、エアフィルタユニットの間口面積の単位面積あたりから発生する、単位時間における、該総有機物質の量が１．０（ｐｇ／ｍ２・ｈｒ）以上１０００（μｇ／ｍ２・ｈｒ）以下であることを特徴とする請求項２に記載のエアフィルタユニット。
【請求項４】  （１）メルトブロー法による繊維を少なくとも５重量％以上含み且つ熱接着性繊維を含む繊維ウェブ、又は（２）メルトブロー法による熱接着性繊維を少なくとも５重量％以上含む繊維ウェブを該熱接着性繊維の融点以上の温度で加熱処理して繊維同士接着した後、さらに８０℃以上で、且つ該熱接着性繊維の融点より１０℃以下の温度の気体中で加熱処理することを特徴とするエアフィルタ用濾材の製造方法。
【請求項５】  請求項４に記載の製造方法によって得られたエアフィルタ用濾材をフィルタ枠に装着してエアフィルタユニットとすることを特徴とするエアフィルタユニットの製造方法。
【請求項６】  （１）メルトブロー法による繊維を少なくとも５重量％以上含み且つ熱接着性繊維を含む繊維ウェブ、又は（２）メルトブロー法による熱接着性繊維を少なくとも５重量％以上含む繊維ウェブを該熱接着性繊維の融点以上の温度で加熱処理して繊維同士接着し、エアフィルタ用素材とした後、該エアフィルタ用素材を用いてエアフィルタユニット中間体とし、該エアフィルタユニット中間体を８０℃以上で、且つ該熱接着性繊維の融点より１０℃以下の温度の気体中で加熱処理することを特徴とするエアフィルタユニットの製造方法。
【請求項７】  比色法による粒子捕集平均効率が２０〜９９％である中性能フィルタ用のエアフィルタ用濾材が、通気性を有しないシート状物によって包装されてなる包装体であって、該シート状物から発生する総有機物質の量（トルエン換算重量）を発生ガス推測法により２３℃において算出すると、該シート状物の単位面積あたり（１ｍ２あたり）から発生する、単位時間（１ｈｒ）における、該総有機物質の量が、該エアフィルタ用濾材から発生する総有機物質の量（トルエン換算重量）を発生ガス推測法により２３℃において算出すると、該エアフィルタ用濾材の単位面積あたり（１ｍ２あたり）から発生する、単位時間（１ｈｒ）における、総有機物質の量より少ないことを特徴とするエアフィルタ用濾材包装体。
【請求項８】  フィルタ枠に、比色法による粒子捕集平均効率が２０〜９９％である中性能フィルタ用のエアフィルタ用濾材が装着されたエアフィルタユニットが、通気性を有しないシート状物によって包装されてなる包装体であって、該シート状物から発生する総有機物質の量（トルエン換算重量）を発生ガス推測法により２３℃において算出すると、該シート状物の単位面積あたり（１ｍ２あたり）から発生する、単位時間（１ｈｒ）における、該総有機物質の量が、該エアフィルタ用濾材から発生する総有機物質の量（トルエン換算重量）を発生ガス推測法により２３℃において算出すると、該エアフィルタ用濾材の単位面積あたり（１ｍ２あたり）から発生する、単位時間（１ｈｒ）における、総有機物質の量より少ないことを特徴とするエアフィルタユニット包装体。
【手続補正２】
【補正対象書類名】明細書
【補正対象項目名】０００８
【補正方法】変更
【補正の内容】
【０００８】
【課題を解決するための手段】
上記課題を解決するための手段は、請求項１の発明では、比色法による粒子捕集平均効率が２０〜９９％であるエアフィルタ用濾材であって、該エアフィルタ用濾材はメルトブロー法による繊維を少なくとも５重量％以上含み、且つ該エアフィルタ用濾材に含まれる繊維が熱接着性繊維によって結合しており、該エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下であることを特徴とする中性能フィルタ用のエアフィルタ用濾材であり、該エアフィルタ用濾材をフィルタ枠に装着したエアフィルタユニットをクリーンルーム等のフィルタシステムの外調機内に設置することによって、該フィルタシステム中に設置されたＨＥＰＡフィルタのみならずケミカルフィルタの塵埃に対する負担を少なくして寿命を延ばしつつクリーンルーム等への汚染ガスの進入を軽減し、また該ケミカルフィルタの汚染ガス除去に関する負担を少なくして寿命を延ばし、該フィルタシステムの運転維持経費の削減に寄与することができる。
【手続補正３】
【補正対象書類名】明細書
【補正対象項目名】００１１
【補正方法】変更
【補正の内容】
【００１１】
また、請求項４の発明では、（１）メルトブロー法による繊維を少なくとも５重量％以上含み且つ熱接着性繊維を含む繊維ウェブ、又は（２）メルトブロー法による熱接着性繊維を少なくとも５重量％以上含む繊維ウェブを該熱接着性繊維の融点以上の温度で加熱処理して繊維同士接着した後、さらに８０℃以上で、且つ該熱接着性繊維の融点より１０℃以下の温度の気体中で加熱処理することを特徴とするエアフィルタ用濾材の製造方法であり、該エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下である中性能フィルタ用のエアフィルタ用濾材を製造することができる。
【手続補正４】
【補正対象書類名】明細書
【補正対象項目名】００１７
【補正方法】変更
【補正の内容】
【００１７】
本発明のエアフィルタ用濾材は、比色法による粒子捕集平均効率が２０〜９９％であるエアフィルタ用濾材であって、該エアフィルタ用濾材はメルトブロー法による繊維を少なくとも５重量％以上含み、且つ該エアフィルタ用濾材に含まれる繊維が熱接着性繊維によって結合しており、該エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下であることを特徴とする中性能フィルタ用のエアフィルタ用濾材である。
【手続補正５】
【補正対象書類名】明細書
【補正対象項目名】００２５
【補正方法】変更
【補正の内容】
【００２５】
本発明のエアフィルタ用濾材は、該エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下である、好ましくは該総有機物質の量が１．０（ｐｇ／ｍ２・ｈｒ）以上５（μｇ／ｍ２・ｈｒ）以下である。このように、エアフィルタ用濾材から発生する総有機物質の量を少なくするには、前記熱接着性繊維によって、熱接着性繊維同士、又は熱接着性繊維と他の繊維が、該熱接着性繊維の融点以上の温度で加熱処理されることにより結合しているエアフィルタ用素材をさらに８０℃以上で、且つ該熱接着性繊維の融点より１０℃以下の温度の気体中で加熱処理することによって得ることができる。
【手続補正６】
【補正対象書類名】明細書
【補正対象項目名】００４１
【補正方法】変更
【補正の内容】
【００４１】
本発明のエアフィルタ用濾材の製造方法では、上記のように加熱除去処理を行うことによって、エアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０（ｐｇ／ｍ２・ｈｒ）以上１０（μｇ／ｍ２・ｈｒ）以下である、好ましくは該総有機物質の量が１．０（ｐｇ／ｍ２・ｈｒ）以上５（μｇ／ｍ２・ｈｒ）以下であるエアフィルタ用濾材を得ることができる。
【手続補正７】
【補正対象書類名】明細書
【補正対象項目名】００４８
【補正方法】変更
【補正の内容】
【００４８】
（実施例１）
芯成分が融点１６０℃のポリプロピレン、鞘成分が融点１３０℃のポリエチレンからなる、繊度が３デシテックス、繊維長が５１ｍｍの複合繊維である熱接着性繊維１００％からなる繊維を開繊した後、空気流で送りながら、ポリプロピレンのメルトブローのウェブを形成中に混入させて、メルトブロー法とエアレイ法の組み合わせによる混合ウェブを形成した。この混合ウェブの混合比率は熱接着性繊維８３重量％、メルトブローによる繊維１７重量％であった。次に、この混合ウェブに１４５℃の乾燥機で３分間加熱接着処理を行ない、鞘成分のポリエチレンを溶融して、その混合ウェブの繊維交点で繊維接着を行ない、その後空冷して面密度１７０ｇ／ｍ２、厚さ１０ｍｍのエアフィルタ用素材を作製した。次に、このエアフィルタ用素材に、１１０℃の乾燥機で１０分間加熱除去処理を行ない、面密度１７０ｇ／ｍ２、厚さ１０ｍｍのエアフィルタ用濾材を得た。このエアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、１．０４（μｇ／ｍ２・ｈｒ）であった。次に、このエアフィルタ用濾材６ｍ２を片面が約５９５ｍｍ×約８６０ｍｍの大きさの袋状に６枚成型して、外寸法が５９５ｍｍ×５９５ｍｍの間口のステンレス製のフィルタ枠に装着して、エアフィルタユニットを得た。このエアフィルタユニットは、ＡＳＨＲＡＥ ５２.１−１９９２に準じた試験方法によると風量５６ｍ３／ｍｉｎの試験条件で、比色法による粒子捕集平均効率が７９％であり、中性能フィルタとしての性能を満足するものであった。また、エアフィルタ用濾材から発生する総有機物質の量（トルエン換算重量）を発生ガス推測法により２３℃において算出すると、エアフィルタユニットの間口面積の単位面積あたりから発生する、単位時間における、該総有機物質の量は３０．０（μｇ／ｍ２・ｈｒ）であり、クリーンルーム用フィルタシステムの外調機に取り付ける中性能フィルタとして好適であった。
【手続補正８】
【補正対象書類名】明細書
【補正対象項目名】００５２
【補正方法】変更
【補正の内容】
【００５２】
（実施例３）
芯成分が融点２６０℃のポリエステル、鞘成分が融点１３０℃の変性ポリエステルからなる、繊度が３デシテックス、繊維長が５１ｍｍの複合繊維である熱接着性繊維１００％からなる繊維を開繊した後、空気流で送りながら、ポリプロピレンのメルトブローのウェブを形成中に混入させて、メルトブロー法とエアレイ法の組み合わせによる混合ウェブを形成した。この混合ウェブの混合比率は熱接着性繊維８４重量％、メルトブローによる繊維１６重量％であった。次に、この混合ウェブに１４５℃の乾燥機で３分間加熱接着処理を行ない、鞘成分の変性ポリエステルを溶融して、その混合ウェブの繊維交点で繊維接着を行ない、面密度１２５ｇ／ｍ２、厚さ１０ｍｍのエアフィルタ用素材を作製した後、引き続きスリットを設けた１４５℃の加熱ロールの間に通して厚さを１ｍｍに調整して、そのまま空冷した。次に、このエアフィルタ用素材に、１１０℃の乾燥機で１０分間加熱除去処理を行ない、面密度１２５ｇ／ｍ２、厚さ１ｍｍのエアフィルタ用濾材を得た。このエアフィルタ用濾材から発生する総有機物質の量（トルエン換算重量）を発生ガス推測法により２３℃において算出して、次に該エアフィルタ用濾材に含まれる熱接着性繊維とメルトブロー法による繊維合計の繊維の面密度１００ｇ／ｍ２あたりから発生する、単位時間における、該総有機物質の量を算出すると、０．８３（μｇ／ｍ２・ｈｒ）であった。次に、このエアフィルタ用濾材１５ｍ２を用いてプリーツ折りを行い、外寸法が６１０ｍｍ×６１０ｍｍの間口で奥行きが２９０ｍｍのフィルタ枠に装着して、エアフィルタユニットを得た。このエアフィルタユニットは、ＡＳＨＲＡＥ ５２.１−１９９２に準じた試験方法によると風量５６ｍ３／ｍｉｎの試験条件で、比色法による粒子捕集平均効率が８３％であり、中性能フィルタとしての性能を満足するものであった。また、エアフィルタ用濾材から発生する総有機物質の量（トルエン換算重量）を発生ガス推測法により２３℃において算出すると、エアフィルタユニットの間口面積の単位面積あたりから発生する、単位時間における、該総有機物質の量は４２．０（μｇ／ｍ２・ｈｒ）であり、クリーンルーム用フィルタシステムの外調機に取り付ける中性能フィルタとして好適であった。
【手続補正９】
【補正対象書類名】明細書
【補正対象項目名】符号の説明
【補正方法】変更
【補正の内容】
【符号の説明】
１  外調機
２  プレフィルタ
３  中性能フィルタ
４  エアワッシャ−
５  ケミカルフィルタ
６  ＨＥＰＡフィルタ
７  ケミカルフィルタ
８  ＨＥＰＡフィルタ
９  クリーンルーム
１０  チャンバー
１１  ヘリウムガス
１２  固体吸着剤
１３  ガス吹出し口
１４  試料